(57)【要約】【課題】楽しい雰囲気を与えることができる遊技場の運搬台車を提供する。【解決手段】半透明乃至透明のプラスチック製の台車基盤１と金属製の補強部材とを備えた台車本体、及び、台車本体を押すためのハンドルを、具備し、複数のＬＥＤ６が、台車本体の少なくとも左右側辺に沿って、かつ、台車基盤１の上壁８より下方に、配設されている。台車基盤１の上壁８に左右側辺に沿って側方下傾の勾配壁９を設ける。勾配壁９の下方にＬＥＤ６が配設されている。勾配壁９の下面10に、光散乱用凹凸面５が形成されている。【選択図】図２
0003121132.tif 000002
【実用新案登録請求の範囲】
【請求項１】
半透明乃至透明のプラスチック製の台車基盤（１）と金属製の補強部材（２）とを備えた台車本体（３）、及び、該台車本体（３）を押すためのハンドル（４）を、具備し、複数のＬＥＤ（６）を、上記台車本体（３）の少なくとも左右側辺（７）（７）に沿って、かつ、上記台車基盤（１）の上壁（８）より下方に、配設したことを特徴とする遊戯場の運搬台車。
【請求項２】
上記台車基盤（１）の上壁（８）に左右側辺（７）（７）に沿って側方下傾の勾配壁（９）を設け、該勾配壁（９）の下方に上記ＬＥＤ（６）を配設した請求項１記載の遊技場の運搬台車。
【請求項３】
上記勾配壁（９）の下面（10）に、光散乱用凹凸面（５）を形成した請求項２記載の遊技場の運搬台車。
【請求項４】
上記台車基盤（１）の左右側辺（７）（７）に沿って下方開口状溝部（11）が形成され、さらに、複数のＬＥＤ（６）を配設した長尺状のＬＥＤ保持部材（12）が上記下方開口状溝部（11）に嵌入状に固着されている請求項１，２又は３記載の遊技場の運搬台車。
【請求項５】
上記ＬＥＤ（６）の電源スイッチ（16）を、上記台車本体（３）の上壁（17）側に露出状に、かつ、荷物（Ｎ）を載置しない非載荷部分（Ｈ）に配設した請求項１，２，３又は４記載の遊技場の運搬台車。
【請求項６】
上記台車基盤（１）が、その下面（26）側に於て、上記ＬＥＤ点灯用の配線（Ｌ）が損傷するのを防止するガイド保持部（18）を有し、該ガイド保持部（18）が、上記ＬＥＤ点灯用の配線（Ｌ）を収納状として保護する配線保護用凹溝部（19）、又は、上記配線（Ｌ）を挿通状として上記配線（Ｌ）の揺動を規制する揺動規制用切欠き部（20）から成る請求項１，２，３，４又は５記載の遊技場の運搬台車。
【考案の詳細な説明】
【技術分野】
【０００１】
本考案は、遊技場用の運搬台車に関する。
【背景技術】
【０００２】
一般に、パチンコ店やゲームセンター等の遊技場に於て、玉箱（ドル箱）やコイン収納箱を移動するには、それらを運搬台車にて運搬する（例えば、特許文献１参照）。
【０００３】
しかし、従来の遊技場用の運搬台車は、単に運搬の機能を有するに等しく、面白みに欠け、せっかく遊技で遊んでいても、興ざめするという欠点があった。
【特許文献１】特開平１０−２１７９７６号公報
【考案の開示】
【考案が解決しようとする課題】
【０００４】
解決しようとする課題は、遊技場であるにもかかわらず、面白みに欠け、興ざめする点である。
【課題を解決するための手段】
【０００５】
そこで、本考案に係る遊技場用の運搬台車は、半透明乃至透明のプラスチック製の台車基盤と金属製の補強部材とを備えた台車本体、及び、該台車本体を押すためのハンドルを、具備し、複数のＬＥＤを、上記台車本体の少なくとも左右側辺に沿って、かつ、上記台車基盤の上壁より下方に、配設したものである。
また、上記台車基盤の上壁に左右側辺に沿って側方下傾の勾配壁を設け、該勾配壁の下方に上記ＬＥＤを配設したものである。
また、上記勾配壁の下面に、光散乱用凹凸面を形成したものである。
【０００６】
また、上記台車基盤の左右側辺に沿って下方開口状溝部が形成され、さらに、複数のＬＥＤを配設した長尺状のＬＥＤ保持部材が上記下方開口状溝部に嵌入状に固着されているものである。
また、上記ＬＥＤの電源スイッチを、上記台車本体の上壁側に露出状に、かつ、荷物を載置しない非載荷部分に配設したものである。
また、上記台車基盤が、その下面側に於て、上記ＬＥＤ点灯用の配線が損傷するのを防止するガイド保持部を有し、該ガイド保持部が、上記ＬＥＤ点灯用の配線を収納状として保護する配線保護用凹溝部、又は、上記配線を挿通状として上記配線の揺動を規制する揺動規制用切欠き部から成るものである。
【考案の効果】
【０００７】
本考案の遊技場用の運搬台車によれば、面白みがあり、楽しい気持ちや興奮をもたらすことができる。すなわち、楽しい雰囲気を与えることができる。特に、台車基盤にパチンコ玉等が収納された収納箱を載置しても、ＬＥＤ光を斜め上方へも照射できて、多くの人が見ることができる。
【考案を実施するための最良の形態】
【０００８】
図１は、本考案の実施の一形態の使用状態を示す。この遊技場の運搬台車は、例えば、パチンコ店でパチンコ玉Ｐを収納した箱Ｂ（玉箱）を積み重ねて載置し、運搬するために使用される。半透明乃至透明のプラスチック製（例えば、ポリカーボネート製）の台車基盤１と金属製の補強部材２（図４・図７参照）とを備えた台車本体３、台車本体３を押すためのハンドル４、及び、全体の走行を可能とする車輪21を、具備している。そして、複数のＬＥＤ６（図２〜図５参照）が、台車本体３の少なくとも左右側辺７，７に沿って、かつ、台車基盤１の上壁８より下方に、配設されている。
【０００９】
図１・図２に示すように、ＬＥＤ６の光が、台車基盤１を通して上方向、斜め上方向等に放射される。特に、図２のようにパチンコ玉等が箱Ｂ内に収納されていても斜め上方向へ光線が放射される。このようにして、ＬＥＤ６の色の種類や配置、点滅の方法（ＯＮ−ＯＦＦのパターン）等を色々と工夫して、より楽しい雰囲気を演出することができる。
【００１０】
図１〜図４に示すように、台車基盤１の上壁８に左右側辺７，７に沿って側方下傾の勾配壁９が設けられている。勾配壁９の下面10に、光散乱用凹凸面５が形成されている。そして、勾配壁９の下方にＬＥＤ６が配設されている。
【００１１】
図４・図５に示すように、台車基盤１の左右側辺７，７に沿って下方開口状溝部11が形成されている。複数のＬＥＤ６を配設した長尺状のＬＥＤ保持部材12が、下方開口状溝部11に嵌入状に固着具22（例えばネジ）にて固着されている。
【００１２】
図３・図６に示すように、台車基盤１は、後ろ寄り（ハンドル４寄り）に電池収納箱用凹部13を有する。電池14を収納した電池収納箱15が、電池収納箱用凹部13内に収納されている。ＬＥＤ６の電源スイッチ16───すなわち、電池14とＬＥＤ６の通電状態と非通電状態を切換えるためのスイッチ───が、台車本体３の上壁17側に露出状に、かつ、荷物Ｎ（例えば、箱Ｂ）を載置しない非載荷部分Ｈに配設されている。なお、図４〜図６に於て、配線Ｌ（図８・図９参照）を図示省略する。配線Ｌは、電池14とＬＥＤ６が通電可能となるように配設されている。上述のＬＥＤ保持部材12に、ＬＥＤ６の点滅を制御する制御盤25が固着されている。そして、配線Ｌと制御盤25が通電可能に電気的に接続されている。
【００１３】
図７〜図９に示すように、台車基盤１が、その下面26側に於て、ＬＥＤ点灯用の配線Ｌが損傷するのを防止するガイド保持部18を有する（図７に於て、配線Ｌを図示省略する）。図８は、図７のＡ部を示す。ガイド保持部18が、ＬＥＤ点灯用の配線Ｌを収納状として保護する配線保護用凹溝部19から成る。図９は、図７のＥ部を示す。ガイド保持部18が、配線Ｌを挿通状として配線Ｌの揺動を規制する揺動規制用切欠き部20から成る。
【００１４】
なお、台車基盤１を、色付きの半透明としても良い。本考案は、設計変更可能であって、例えば、ＬＥＤ６を、台車本体３の左右側辺７，７及び前辺23（図１・図３・図６・図７参照）に沿って配設するも良い。また、ＬＥＤ６を台車本体３の左右側辺７，７前辺に沿って配設するとともに、その他の部分───例えば後辺24（図３・図６・図７）の一部───に配設するも良い。
【００１５】
以上のように、本考案は、半透明乃至透明のプラスチック製の台車基盤１と金属製の補強部材２とを備えた台車本体３、及び、台車本体３を押すためのハンドル４を、具備し、複数のＬＥＤ６を、台車本体３の少なくとも左右側辺７，７に沿って、かつ、台車基盤１の上壁８より下方に、配設したので、面白みがあり、楽しい気持ちや興奮をもたらすことができる。すなわち、楽しい雰囲気を与えることができる。また、荷物Ｎ（箱Ｂ）を載置したり下ろしたりする際に、ＬＥＤが邪魔にならず、使い心地が良い。
また、台車基盤１の上壁８に左右側辺７，７に沿って側方下傾の勾配壁９を設け、勾配壁９の下方にＬＥＤ６を配設したので、底面積が大きい荷物Ｎ（箱Ｂ）を載置した状態でも、ＬＥＤ６の光を外部───特に、斜め上方向───へ放射させることができる。
また、勾配壁９の下面10に、光散乱用凹凸面５を形成したので、変化に富んだ方向にＬＥＤ６の光が散乱し、より楽しい雰囲気を与えることができる。
【００１６】
また、台車基盤１の左右側辺７，７に沿って下方開口状溝部11が形成され、さらに、複数のＬＥＤ６を配設した長尺状のＬＥＤ保持部材12が下方開口状溝部11に嵌入状に固着されているので、製造時に容易に組立てることができる。
また、ＬＥＤ６の電源スイッチ16を、台車本体３の上壁17側に露出状に、かつ、荷物Ｎを載置しない非載荷部分Ｈに配設したので、荷物Ｎ（箱Ｂ）を積んでも電源スイッチ16が邪魔とならず、容易にＯＮ−ＯＦＦ操作を行なうことができる。
また、台車基盤１が、その下面26側に於て、ＬＥＤ点灯用の配線Ｌが損傷するのを防止するガイド保持部18を有し、ガイド保持部18が、ＬＥＤ点灯用の配線Ｌを収納状として保護する配線保護用凹溝部19、又は、配線Ｌを挿通状として配線Ｌの揺動を規制する揺動規制用切欠き部20から成るので、配線Ｌが損傷するのを防止することができる。
【図面の簡単な説明】
【００１７】
【図１】実施の一形態の使用状態を示す斜視図である。
【図２】要部拡大簡略断面図である。
【図３】平面図である。
【図４】要部断面背面図である。
【図５】図３のＸ−Ｘ断面図である。
【図６】要部断面側面図である。
【図７】底面図である。
【図８】要部拡大断面図である。
【図９】要部拡大断面図である。
【符号の説明】
【００１８】
１  台車基盤
２  補強部材
３  台車本体
４  ハンドル
５  光散乱用凹凸面
６  ＬＥＤ
７  側辺
８  上壁
９  勾配壁
10  下面
11  下方開口状溝部
12  ＬＥＤ保持部材
16  電源スイッチ
17  上壁
18  ガイド保持部
19  配線保護用凹溝部
20  揺動規制用切欠き部
26  下面
Ｈ  非載荷部分
Ｌ  配線
Ｎ  荷物
【図１】
0003121132.tif 000003
【図２】
0003121132.tif 000004
【図３】
0003121132.tif 000005
【図４】
0003121132.tif 000006
【図５】
0003121132.tif 000007
【図６】
0003121132.tif 000008
【図７】
0003121132.tif 000009
【図８】
0003121132.tif 000010
【図９】
0003121132.tif 000011